(57)【要約】【課題】組立構造を簡略化し、容易な組立を可能として作業の効率化とコストダウンを図れると共に、外部に対する気密を確実に確保できるダンパ装置を提供する。【解決手段】回動軸３を直接支える軸受体５を略円筒部分と略鍔状部分との組合せ形状とし、この軸受体５を開口枠体２に略鍔状部分が開口枠体２内面に相対する向きとして取付け、開口枠体２外側から軸受止め具６を軸受体５に螺合させて軸受体５と開口枠体２を気密状態で一体化し、開口枠体２内から外への気体流出を抑えることから、回動軸３を開口枠体２に軸支させるための構造を溶接等の作業が不要な簡略な構造にすることができ、部品も容易に組立可能で溶接等の特殊な技能者も不要となり、製造コストを大幅に低減できると共に、気密を確保する必要のある部分から溶接継手部分を排除して気密状態の信頼性を確保できる。【選択図】　図２
2004144389.tif 000002
【特許請求の範囲】
【請求項１】
所定の吸気又は排気用のダクト経路内に配設されて気体を流通させる略筒状の開口枠体と、当該開口枠体を貫通した状態で回動自在に軸支される回動軸と、当該回動軸に一体に固定されて前記開口枠体の内側開口領域に回動可能に配置される略板状体の羽根と、前記開口枠体の外側で前記回動軸の一端部に連結されて回動軸を回転駆動する駆動機構とを少なくとも備え、前記羽根を所定角度回動させて開口枠体内の開口面積を調整可能とするダンパ装置において、
少なくとも前記回動軸を内側に挿通可能な略円筒部分及び当該略円筒部分の一端部周囲に一体形成される略鍔状部分からなり、前記略円筒部分外周に雄ネジ部を形成され、前記略鍔状部分を前記羽根寄りに位置させた状態で前記回動軸を内側に挿通されつつ前記開口枠体を貫通して配設される軸受体と、
当該軸受体の略鍔状部分と前記開口枠体内周面との間に環状に配設される弾性材製のシール材と、
前記軸受体の雄ネジ部に螺合可能な雌ネジ部を有する軸受止め具と、
前記軸受体と回動軸との間を通じた前記開口枠体内側から外側への気体の漏れを防ぐ気密維持手段とを備え、
前記軸受体と軸受止め具とを螺合させ緊締して軸受体と開口枠体とを一体化し、且つ前記シール材を軸受体の略鍔状部分と開口枠体内周面のそれぞれに隙間無く密着させることを
特徴とするダンパ装置。
【請求項２】
前記請求項１に記載のダンパ装置において、
前記回動軸の他端部を挿通される前記軸受体が、前記開口枠体外側に位置する他端部分を閉塞された形状として形成され、前記気密維持手段を兼ねることを
特徴とするダンパ装置。
【請求項３】
前記請求項１又は２に記載のダンパ装置において、
前記駆動機構に近い側の前記軸受体内周面と当該軸受体内に位置する回動軸外周面との間に、前記気密維持手段として軸受体内周面と回動軸外周面双方に密接する弾性材製の環状シール体が配設されてなることを
特徴とするダンパ装置。
【発明の詳細な説明】
【０００１】
【発明の属する技術分野】
本発明は、ダクト経路内に配置されて流路の断続や風量調節を行うダンパ装置に関し、特に、外部に漏出すると有害な気体が通るダクト経路内に配設される気密性を重視したダンパ装置に関する。
【０００２】
【従来の技術】
空気調和対象空間である室内に調和空気を送込む吸気系統や、室内の換気や排煙等のために空気を室内から排出する排気系統などのダクトでは、経路の途中に流路の断続や風量調節等の目的でダンパ装置を配置することが多かった。このような従来のダンパ装置の一例を図４ないし図６に示す。図４は従来のダンパ装置の平面図及び正面図、図５は従来のダンパ装置における各軸受部分の断面図、図６は従来のダンパ装置の要部分解斜視図である。
【０００３】
前記各図において従来のダンパ装置１００は、ダクト経路の途中に配設されて気体を通過させる略円筒状の開口枠体１０１と、この開口枠体１０１を貫通した状態で回動自在に軸支される回動軸１０２と、この回動軸１０２に一体に固定されて開口枠体１０１の内側開口領域に配置される風量調整用の羽根１０３と、開口枠体１０１外側で回動軸１０２端部に連結されて羽根１０３ごと回動軸１０２を回動させる駆動機構１０４とを備える構成である。
【０００４】
前記開口枠体１０１は、両端部にフランジ部分が一体形成される金属製の略円筒体であり、内周面の対向する二箇所に回動軸１０２の貫通する孔を穿設され、この孔に回動軸１０２と摺動自在に接する軸受メタル１０１ａを挿入配設される構成である。
【０００５】
この従来のダンパ装置は、開口枠体１０１外側から駆動機構１０４を通じて羽根１０３を開口枠体１０１に対し所定角度回動させ、開口枠体１０１内における気流通過の向きである開口枠体１０１筒軸方向への開口面積を調整することで、気体の通過量、すなわち下流側へ向う気体の風量を調節する仕組みである。
【０００６】
上記構成の従来のダンパ装置１００を、このダンパ装置１００を含むダクト経路に外部へ漏れると有害な気体を流通させる用途に用いる場合、気密性を確保して開口枠体１０１内から外への有害気体の漏出を抑えるため、回動軸１０２が駆動機構１０４と連結される駆動側において、回動軸所定位置にＯリング１０５を取付け、回動軸１０２周囲の隙間からの内部ガスの漏れを防ぐ仕組みとしていた。Ｏリング１０５の外側には、Ｏリング１０５を外周側から支持して回動軸１０２に密着させるＯリング台１０６が配設され、このＯリング台１０６を開口枠体１０１に溶接された略箱状のＯリング台受１０７に取付けて固定する構成である。Ｏリング台受１０７は駆動機構１０４の取付用ベースも兼ねている。
一方、回動軸１０２の非駆動側端部においては、開口枠体１０１の回動軸貫通部分外側に軸キャップ１０８を溶接して、内部気体の漏れを防いでいた。
【０００７】
【発明が解決しようとする課題】
従来のダンパ装置は以上のように構成されており、開口枠体１０１における気密保持構造部分、すなわち、Ｏリング台１０６とＯリング台受１０７、Ｏリング台受１０７と開口枠体１０１、及び軸キャップ１０８と開口枠体１０１とがそれぞれ溶接で一体化されていることにより、溶接継手部分１０９で確実に外部気密性能を満たす状態を得るのは難しく、熟練した溶接技能者が必要になるなど作業コストがかかる上、溶接精度によっては気密が確保できなくなる危険性があるという課題を有していた。加えて、溶接で組立てられる各部品に溶接の熱などによる歪みが生じ、羽根１０３の回転動作が重くなる場合もあるという課題を有した。
【０００８】
本発明は前記課題を解消するためになされたもので、組立構造を簡略化し、容易な組立を可能として作業の効率化とコストダウンを図れると共に、外部に対する気密を確実に確保できるダンパ装置を提供することを目的とする。
【０００９】
【課題を解決するための手段】
本発明に係るダンパ装置は、所定の吸気又は排気用のダクト経路内に配設されて気体を流通させる略筒状の開口枠体と、当該開口枠体を貫通した状態で回動自在に軸支される回動軸と、当該回動軸に一体に固定されて前記開口枠体の内側開口領域に回動可能に配置される略板状体の羽根と、前記開口枠体の外側で前記回動軸の一端部に連結されて回動軸を回転駆動する駆動機構とを少なくとも備え、前記羽根を所定角度回動させて開口枠体内の開口面積を調整可能とするダンパ装置において、少なくとも前記回動軸を内側に挿通可能な略円筒部分及び当該略円筒部分の一端部周囲に一体形成される略鍔状部分からなり、前記略円筒部分外周に雄ネジ部を形成され、前記略鍔状部分を前記羽根寄りに位置させた状態で前記回動軸を内側に挿通されつつ前記開口枠体を貫通して配設される軸受体と、当該軸受体の略鍔状部分と前記開口枠体内周面との間に環状に配設される弾性材製のシール材と、前記軸受体の雄ネジ部に螺合可能な雌ネジ部を有する軸受止め具と、前記軸受体と回動軸との間を通じた前記開口枠体内側から外側への気体の漏れを防ぐ気密維持手段とを備え、前記軸受体と軸受止め具とを螺合させ緊締して軸受体と開口枠体とを一体化し、且つ前記シール材を軸受体の略鍔状部分と開口枠体内周面のそれぞれに隙間無く密着させるものである。
【００１０】
このように本発明においては、回動軸を直接支える軸受体を略円筒部分と略鍔状部分との組合せ形状とし、この軸受体を開口枠体に略鍔状部分が開口枠体内面に相対する向きとして取付け、開口枠体外側から軸受止め具を軸受体に螺合させて軸受体と開口枠体を気密状態で一体化し、開口枠体内から外への気体流出を抑えることにより、回動軸を開口枠体に軸支させるための構造を溶接等の作業が不要な簡略な構造にすることができ、部品も容易に組立可能で溶接等の特殊な技能者も不要となり、製造コストを大幅に低減できると共に、気密を確保する必要のある部分から溶接継手部分を排除して気密状態の信頼性を確保できる。
【００１１】
また、本発明に係るダンパ装置は必要に応じて、前記回動軸の他端部を挿通される前記軸受体が、前記開口枠体外側に位置する他端部分を閉塞された形状として形成され、前記気密維持手段を兼ねるものである。
このように本発明においては、回動軸他端側寄りに位置する軸受体の他端部が閉塞状態として形成され、他端部に開口部の現れない軸受体が気密維持手段として軸受体と回動軸間からの開口枠体外への気体流出を阻止できることにより、回動軸の他端側を軸受体で覆っただけの簡略な構造で確実に気密を確保でき、コストダウンを図れる。
【００１２】
また、本発明に係るダンパ装置は必要に応じて、前記駆動機構に近い側の前記軸受体内周面と当該軸受体内に位置する回動軸外周面との間に、前記気密維持手段として軸受体内周面と回動軸外周面双方に密接する弾性材製の環状シール体が配設されてなるものである。
このように本発明においては、回動軸と軸受体との間に気密維持手段としての環状シール体を配設し、軸受体内周面と回動軸外周面双方に密接する環状シール体で軸受体と回動軸間からの開口枠体外への気体流出を阻止できることにより、回動軸の駆動機構寄りの開口枠体貫通部分で環状シール体と軸受体とを組合わせた簡略な密封構造で確実に気密を確保でき、コストダウンを図れる。
【００１３】
【発明の実施の形態】
以下、本発明の一実施の形態に係るダンパ装置を図１ないし図３に基づいて説明する。図１は本実施の形態に係るダンパ装置の平面図及び正面図、図２は本実施の形態に係るダンパ装置における各軸受部分の断面図、図３は本実施の形態に係るダンパ装置の要部分解斜視図である。
【００１４】
前記各図において本実施の形態に係るダンパ装置１は、外部に漏れると有害な気体を流通させる所定のダクト経路の途中に配設される略円筒状の開口枠体２と、この開口枠体２を貫通した状態で回動自在に軸支される開口枠体２外径より長い回動軸３と、この回動軸３に一体に固定されて前記開口枠体２の内側開口領域に配置される羽根４と、円筒部分及び鍔状部分の組合せ形状とされて開口枠体２に取付けられる軸受体５と、この軸受体５に螺合して軸受体５と開口枠体２とを一体化する前記軸受止め具としてのナット６と、開口枠体２の外側で回動軸３の一端部に連結されて回動軸３を回転駆動する駆動機構７とを備える構成である。
【００１５】
前記開口枠体２は、両端部にフランジ部分が一体形成される金属製の略円筒体であり、内周面の対向する所定の二箇所に、外方へ凸となる凸状部２ａが突出成形されると共に、この凸状部２ａ中心位置に回動軸３の貫通する孔２ｂを穿設され、この孔２ｂに、回動軸３と摺動自在に接する軸受体５を挿入配設される構成である。開口枠体２外面には、回動軸３を駆動する駆動機構７を所定配設位置に固定するためのボルト２ｃが溶接により起立状態で固定される。
前記羽根４は、金属製の円板状体で形成され、中央部分で回動軸３に一体に固定され、開口枠体２の開口領域中央部に所定角度回動可能に配設される構成である。
【００１６】
前記軸受体５は、回動軸３を内側に挿通可能な円筒部分及びこの円筒部分の一端部周囲に一体形成される鍔状部５ａからなり、円筒部分外周に雄ネジ部５ｂを形成され、鍔状部５ａを羽根４寄りに位置させた状態で開口枠体２を貫通して配設され、回動軸３を内側に挿通可能とされる構成である。この軸受体５の鍔状部５ａと開口枠体２内周面との間には、気密保持用として弾性材製のシール材５ｃが環状に配設され、軸受体５の鍔状部５ａと開口枠体２内周面のそれぞれに密着した状態とされる。
【００１７】
この軸受体５のうち、回動軸３の他端部を挿通される軸受体５は、開口枠体２外側に位置する他端部分を閉塞された形状として形成され、軸受体５と回動軸３との間を通じた開口枠体２内側から外側への気体の漏れを防ぐ構成とされており、前記気密維持手段を兼ねるものである。
【００１８】
また、前記駆動機構７に近い側の軸受体５内周面とこの軸受体５内に位置する回動軸３外周面との間には、前記気密維持手段として軸受体５内周面と回動軸３外周面双方に密接する弾性材製の環状シール体８が配設される。この環状シール体８は、回動軸３外周のちょうど前記軸受体５内に位置する部位に形成される溝３ａに装着されており、軸受体５と回動軸３間で環状シール体８が軸方向にずれにくく、組立時の軸受体５への回動軸３挿入の際等に誤って環状シール体８がずれることもなくなり、環状シール体８の位置調整が不要で作業性に優れる。
【００１９】
前記ナット６は、内周側に軸受体５の雄ネジ部５ｂに螺合可能な雌ネジ部を有する一般的な構成である。このナット６端面と開口枠体２外周面との間には必要に応じてワッシャ（図示を省略）が配設される。このナット６が、開口枠体２外側から軸受体５に螺合し、所定の締付け力で緊締されて軸受体５と開口枠体２とを一体に固定する仕組みである。
前記駆動機構７は、手からの操作力を伝えるハンドルや電動機、歯車箱等の、回動軸３一端部に連結されてこれを駆動する公知の機構であり、回動軸３を羽根４と共に所定角度回動させる仕組みである。
【００２０】
次に、前記構成に基づくダンパ装置の組立工程について説明する。まず、開口枠体２内側から軸受体５の円筒部分を開口枠体２の外方に向けつつ孔２ｂに挿入する。この時、軸受体５一端部の鍔状部５ａと開口枠体２の内周面との間にはシール材５ｃを介在させておく。軸受体５挿入後、開口枠体２の外側から軸受体５他端の雄ネジ部５ｂにナット６を螺合させ、軸受体５が開口枠体２から脱落しないようにする。
【００２１】
一方、回動軸３の溝部３ａにあらかじめ環状シール体８を装着してから、回動軸３を開口枠体２の駆動機構７寄りとなる側から軸受体５に挿通し、開口枠体２内に挿入して、最終的に各軸受体５内側にそれぞれ挿通した状態とする。この状態で、環状シール体８は軸受体５内周面に密接し、軸受体５と回動軸３間の気密を確保する。回動軸３他端側においても、端部に開口部の現れない軸受体５がこの軸受体５と回動軸３間からの開口枠体２外への気体流出を阻止でき、簡略な構造で確実に気密を確保できる。
【００２２】
この後、羽根４と回動軸３を一体に固定すると共に、各ナット６を所定の締付け力で緊締して二つの軸受体５を開口枠体２に一体固定状態とする。ナット６の締付けにより、シール材５ｃが確実に軸受体５の鍔状部５ａと開口枠体２の内周面にそれぞれ隙間無く密着し、軸受体５と開口枠体２間の気密を確保する。そして、回動軸３は、開口枠体２に固定された軸受体５に対し摺動しつつスムーズに回動可能な状態で支持される。最後に、駆動機構７を回動軸３と連結させつつ開口枠体２外面に固定すれば、組立作業は完了となる。
【００２３】
前記構成のダンパ装置１における風量調整は、従来同様、開口枠体２外側から駆動機構７により回動軸３を介して羽根４を回動させ、羽根４の回動角度変化で開口枠体２内の開口面積を調節することにより行われる。各軸受体５と開口枠体２間のシール材５ｃ、及び駆動機構７寄り側の軸受体５と回動軸３間に配設された環状シール体８により気密状態が確保され、開口枠体２内側から外側、あるいはその逆方向への気体の漏れはなく、開口枠体２内に外部へ漏れると有害な気体を流通させても、開口枠体２内からの有害気体の漏出を抑えて安全性を確保できる。
【００２４】
このように、本実施の形態に係るダンパ装置においては、回動軸３を直接支える軸受体５を円筒部分と鍔状部５ａとの組合せ形状とし、この軸受体５を開口枠体２に鍔状部５ａが開口枠体２内面に相対する向きとして取付け、開口枠体２外側から軸受止め具６を軸受体５に螺合させて軸受体５と開口枠体２を気密状態で一体化し、開口枠体２内から外への気体流出を抑えることから、回動軸３を開口枠体２に軸支させるための構造を溶接等の作業が不要な簡略な構造にすることができ、部品も容易に組立可能で溶接等の特殊な技能者も不要となり、製造コストを大幅に低減できると共に、気密を確保する必要のある部分から溶接継手部分を排除して気密状態の信頼性を確保できる。
【００２５】
なお、前記実施の形態に係るダンパ装置において、ダンパ装置を風量調節用のダンパ装置とする構成としているが、これに限らず、防火ダンパや排煙ダンパ等の他のダンパ装置とすることもできる。
また、前記実施の形態に係るダンパ装置においては、軸受止め具として一般的なナット６を用いる構成としているが、この他、回動軸３他端側の軸受止め具に関しては、袋ナットや内部に雌ネジが形成された略キャップ状体を用いる構成とすることもでき、こうした袋ナットや略キャップ状体の場合、軸受体５の雄ネジ部５ｂを外部に露出させない状態とすることができる。
【００２６】
【発明の効果】
以上のように本発明によれば、回動軸を直接支える軸受体を略円筒部分と略鍔状部分との組合せ形状とし、この軸受体を開口枠体に略鍔状部分が開口枠体内面に相対する向きとして取付け、開口枠体外側から軸受止め具を軸受体に螺合させて軸受体と開口枠体を気密状態で一体化し、開口枠体内から外への気体流出を抑えることにより、回動軸を開口枠体に軸支させるための構造を溶接等の作業が不要な簡略な構造にすることができ、部品も容易に組立可能で溶接等の特殊な技能者も不要となり、製造コストを大幅に低減できると共に、気密を確保する必要のある部分から溶接継手部分を排除して気密状態の信頼性を確保できるという効果を奏する。
【００２７】
また、本発明によれば、回動軸他端側寄りに位置する軸受体の他端部が閉塞状態として形成され、他端部に開口部の現れない軸受体が気密維持手段として軸受体と回動軸間からの開口枠体外への気体流出を阻止できることにより、回動軸の他端側を軸受体で覆っただけの簡略な構造で確実に気密を確保でき、コストダウンを図れるという効果を有する。
【００２８】
また、本発明によれば、回動軸と軸受体との間に気密維持手段としての環状シール体を配設し、軸受体内周面と回動軸外周面双方に密接する環状シール体で軸受体と回動軸間からの開口枠体外への気体流出を阻止できることにより、回動軸の駆動機構寄りの開口枠体貫通部分で環状シール体と軸受体とを組合わせた簡略な密封構造で確実に気密を確保でき、コストダウンを図れるという効果を有する。
【図面の簡単な説明】
【図１】本発明の一実施の形態に係るダンパ装置の平面図及び正面図である。
【図２】本発明の一実施の形態に係るダンパ装置における各軸受部分の断面図である。
【図３】本発明の一実施の形態に係るダンパ装置の要部分解斜視図である。
【図４】従来のダンパ装置の平面図及び正面図である。
【図５】従来のダンパ装置における各軸受部分の断面図である。
【図６】従来のダンパ装置の要部分解斜視図である。
【符号の説明】
１、１００　　ダンパ装置
２、１０１　　開口枠体
２ａ　　　　　凸状部
２ｂ　　　　　孔
２ｃ　　　　　ボルト
３、１０２　　回動軸
３ａ　　　　　溝
４、１０３　　羽根
５　　　　　　軸受体
５ａ　　　　　鍔状部
５ｂ　　　　　雄ネジ部
５ｃ　　　　　シール材
６　　　　　　ナット
７、１０４　　駆動機構
８　　　　　　環状シール体
１０１ａ　　　軸受メタル
１０５　　　　Ｏリング
１０６　　　　Ｏリング台
１０７　　　　Ｏリング台受
１０８　　　　軸キャップ
１０９　　　　溶接継手部分
【図１】
2004144389.tif 000003
【図２】
2004144389.tif 000004
【図３】
2004144389.tif 000005
【図４】
2004144389.tif 000006
【図５】
2004144389.tif 000007
【図６】
2004144389.tif 000008